(57)【特許請求の範囲】
【請求項１】
縦壁部及びこの縦壁部の上端部である稜線部から車体外側に連続して延びる外壁部を備えたフロントフェンダと、エンジンルームを覆うように設けられたフードを有する車両用前部構造であって、
上記フロントフェンダの縦壁部に形成された脆弱部と、このフロントフェンダの縦壁部の脆弱部よりも上方の部位であって上記縦壁部から車両中心側に突出した突出部と、を有し、この突出部が、上記フードのサイドエッジ部に下向きの外力が作用したときその外力を上記フロントフェンダに伝達して上記脆弱部を潰すことによりフロントフェンダが下方に変位して上記フロントフェンダの上記稜線部が上記フードよりも上方に突出しないように構成されていることを特徴とする車両用前部構造。
【請求項２】
上記突出部は、上記フロントフェンダの縦壁部に取り付けられたブラケットである請求項１記載の車両用前部構造。
【請求項３】
上記突出部は、上記フロントフェンダの縦壁部と一体に成形されている請求項１記載の車両用前部構造。
【請求項４】
上記フードのサイドエッジ部は、車両前後方向に延びるレインフォースメントを備え、このレインフォースメントは、上記フードのサイドエッジ部に下向きの外力が作用したとき上記突出部に当接する請求項１記載の車両用前部構造。
【発明の詳細な説明】
【０００１】
【発明の属する技術分野】
本発明は、車両用前部構造に係り、特に、歩行者が衝突した場合に衝突エネルギを吸収する車両用前部構造に関する。
【０００２】
【従来の技術】
従来の一般的な車両用前部構造は、車体上方に垂直方向に延びる縦壁部と、この縦壁部の上端から車体外側に連続して延びる外壁部とからなるフロントフェンダを備えている。
このような構造の車両に対して、歩行者が走行中の車両に衝突した場合、歩行者は、腰部を中心にして車両後方に回転し、頭部がフロントフェンダの外壁部の上部に衝突した場合には、フロントフェンダの縦壁部が潰れて衝突エネルギが吸収され、それにより歩行者の頭部の保護が行われていた。このとき、縦壁部により頭部保護のために必要な衝突時のエネルギ吸収量を確保するためには、縦壁部が或る程度の長さを有することが必要である。
【０００３】
一方、近年、空力特性向上等の理由から車両前部の高さを低くすることが望まれている。このためには、フロントフェンダの縦壁部を短くする必要があるが、上述したように、フロントフェンダの縦壁部により一定量の衝突エネルギを吸収しなければならないため、単純に縦壁部を短くすることはできない。
【０００４】
【発明が解決しようとする課題】
そこで、従来は、この問題を解決するため、例えば、実開昭61-158571 号公報、特開平7-285461号公報等に種々の提案がなされている。以下、具体的に説明する。図１は、実開昭61-158571 号公報に示された車両用前部構造の正面から見た部分断面図である。この図１において、１は、車両用前部構造におけるフロントフェンダであり、このフロントフェンダ１は、垂直方向に延びる縦壁部２と、この縦壁部２の上端から車体外側に連続して延びる外壁部３を備えている。この縦壁部２の下端には、車幅方向内側に折り曲げて形成された取付部４が設けられ、この取付部４は、フードリッジレインフォース５に固定され、さらに、このフードリッジレインフォース５は、その車幅方向内側に設けられたフードリッジ６に取り付けられている。さらに、縦壁部２には第１屈曲部７とその下方の第２屈曲部８が車体前後方向に延びるように設けられている。
【０００５】
このような車両用前部構造の外壁部３の上部に衝突により歩行者の頭部が当たった場合、縦壁部２は、第１屈曲部７と第２屈曲部８が存在することにより、鎖線９により示すようにＳ字状に変形し、縦壁部２が安定した状態で潰れ、それにより、頭部保護のために必要な衝突エネルギを吸収するようにしている。
【０００６】
また、特開平7-285461号においても、同様に、縦壁部に段差部を設け、衝突時にフロントフェンダがこの段差部が適正に潰れることにより、衝突時に必要な量のエネルギを吸収するようにしているものが示されている。
しかしながら、これらの従来の車両用前部構造においては、歩行者が走行中の車両に衝突してその頭部がフロントフェンダの外壁部の上部（稜線部）に当たった場合には、第１屈曲部７及び第２屈曲部８等により必要な衝突エネルギを吸収することができるが、歩行者の頭部が比較的剛性が大きなフードのサイドエッジ部の近傍に当たった場合には、衝突により生じる下向きの外力によりフードのサイドエッジ部のみが下方に変位し、このとき、フロントフェンダの稜線部がフードより上方に突出した状態で残り、これにより、歩行者の頭部にその稜線部により大きな集中荷重が作用するので、好ましくない。
【０００７】
そこで、本発明は、従来の技術の問題点を解決するためになされたものであり、歩行者の頭部が走行中のフードのサイドエッジ部近傍に衝突したときでもフロントフェンダの稜線部により歩行者の頭部が傷害を負うことを出来る限り少なくできると共に衝突エネルギを吸収することができる車両用前部構造を提供することを目的としている。
【０００８】
【課題を解決するための手段】
上記の目的を達成するために、本発明は、縦壁部及びこの縦壁部の上端部である稜線部から車体外側に連続して延びる外壁部を備えたフロントフェンダと、エンジンルームを覆うように設けられたフードを有する車両用前部構造であって、フロントフェンダの縦壁部に形成された脆弱部と、このフロントフェンダの縦壁部の脆弱部よりも上方の部位であって縦壁部から車両中心側に突出した突出部と、を有し、この突出部が、フードのサイドエッジ部に下向きの外力が作用したときその外力をフロントフェンダに伝達して脆弱部を潰すことによりフロントフェンダが下方に変位して上記フロントフェンダの稜線部がフードよりも上方に突出しないように構成されていることを特徴としている。
このように構成された本発明においては、歩行者が走行中の車両に衝突してその頭部がフードのサイドエッジ部に当たった場合には、衝突により作用する下向きの外力が突出部を介してフロントフェンダに伝達され、それにより縦壁部に形成された脆弱部が潰れて、頭部保護に必要な衝突エネルギが吸収される。このとき、フロントフェンダもフードと同様に下方に変位し、フロントフェンダの稜線部がフードよりも上方に突出することがないので、頭部がフロントフェンダの稜線部により損傷を負うことが極力小さくなる。
本発明において、好ましくは、突出部は、フロントフェンダの縦壁部に取り付けられたブラケットである。
本発明において、好ましくは、突出部は、フロントフェンダの縦壁部と一体に成形されている。
本発明において、好ましくは、フードのサイドエッジ部は、車両前後方向に延びるレインフォースメントを備え、このレインフォースメントは、フードのサイドエッジ部に下向きの外力が作用したとき突出部に当接する。
【００１０】
【発明の実施の形態】
以下添付図面を参照して本発明の実施形態を説明する。
先ず、図２乃至図５により本発明の第１実施形態を説明する。この実施形態において、10は、車両用前部構造であり、この車両用前部構造10は、車両前部の両側に設けられたフロントフェンダ12と、エンジンルームの上方を覆い開閉自在にも設けられたフード14とを備えている。図３及び図４に示すように、フロントフェンダ12は、垂直方向に延びる縦壁部16と、この縦壁部16の上端から車体外側に連続して延びる外壁部18を備えている。ここで、縦壁部16の上端部が稜線部12ａとなる。縦壁部16の下端には、車幅方向内側に折り曲げて形成された取付部20が設けられ、この取付部20は、フードリッジレインフォース22に固定され、さらに、このフードリッジレインフォース22は、その車幅方向内側に設けられたフードリッジ24に取り付けられている。
【００１１】
フード14のサイドエッジ部14ａは、車両前後方向に延びるレインフォースメント26を備えている。
本実施形態においては、さらに、縦壁部16にはＶ字状の脆弱部28が形成されている。また、縦壁部16の脆弱部28の上方の部位には、断面Ｌ状のブラケット30が取り付けられている。このブラケット30は、フード14のサイドエッジ部14ａに設けられたレインフォースメント26の下面の下方に微小な隙間を介して配置される。
ここで、ブラケット30は、図４に示すように、車両前後方向に連続して延びるように設けられている。なお、本実施形態においては、このブラケット30は、本実施形態では、前後方向に連続して設けられる以外に、図５に示すように、複数個のブラケット31,33 を所定の間隔を置いて配置するようにしてもよい。
【００１２】
上述した脆弱部28は、歩行者が走行中の車両に衝突してその頭部がフロントフェンダ12に当たった場合、頭部保護に必要な衝突エネルギを吸収できるように形成されている。この脆弱部28は、さらに、歩行者が走行中の車両に衝突してその頭部がフード14のサイドエッジ部14ａに当たった場合、それにより生じる下向きの外力によりフード14が下方に変位し、その外力がブラケット30を介してフロントフェンダ12の縦壁部16に伝達され、脆弱部28が潰れ、それにより、頭部保護に必要な衝突エネルギが吸収できるように形成されている。このとき、脆弱部28が潰れることにより、フロントフェンダ12もフード14と同じように下方に変位し、フロントフェンダ12の稜線部12ａがフード14よりも上方に突出しないようになっている。
【００１３】
次に第１実施形態の作用を説明する。歩行者が走行中の車両に衝突してその頭部がフード14のサイドエッジ部14ａに当たった場合、それにより生じる下向きの外力によりフード14のサイドエッジ部14ａが下方に変位する。これにより、フード14のサイドエッジ部14ａのレインフォースメント26の下面がブラケット30の内側突出部側に当接し、それにより、外力がブラケット30を介してフロントフェンダ12の縦壁部16に伝達される。これにより、脆弱部28が潰れ、フロントフェンダ12の縦壁部16もフード14と同様に下方に変位する。この結果、フロントフェンダ12の稜線部がフード14よりも上方に突出しない状態となり、歩行者の頭部がフロントフェンダ12の稜線部12ａにより傷害を負うことが極力小さくなる。さらに、このとき、衝突によりフード14に作用した外力によるエネルギがフロントフェンダ12の縦壁部16の脆弱部28により吸収される。
さらに、歩行者が走行中の車両に衝突してその頭部がフロントフェンダ12に当たった場合、フロントフェンダ12の縦壁部16の脆弱部28が潰れることにより、頭部保護に必要な衝突エネルギが吸収される。
【００１４】
次に、図６により本発明の第２実施形態を説明する。この第２実施形態は、第１実施形態と基本構造が同一であり、この基本構造を前提として、ブラケット30の内側突出部側の上面に弾性体32を設け、この弾性体32とフード14のサイドエッジ部14ａのレインフォースメント26の下面とが当接するようにしたものである。この第２実施形態と基本となる作用は同じであるが、弾性体32を新たに設けたことにより、以下の作用効果を奏する。即ち、フード14とブラケット30の間に弾性体32が介在することにより、車両の通常走行時において、フード14が振動しても、その振動を弾性体32が吸収するため、騒音等が発生することがない。また、歩行者が走行中の車両に衝突してその頭部がフード14のサイドエッジ部14ａに当たった場合、それにより生じる下向きの外力によりフード14が下方に変位し、その外力が弾性体32を介してブラケット30に伝達されるため、このとき、弾性体32により衝突エネルギの一部が吸収される。さらに、ブラケット30に伝達された外力は、フロントフェンダ12の縦壁部16に伝達され、脆弱部28が潰れ、それにより、頭部保護に必要な衝突エネルギが更に吸収される。
【００１５】
次に、第７図及び第８図により本発明の第３実施形態を説明する。この第３実施形態は、第１実施形態と基本構造が同一であり、この基本構造を前提として、以下の構成を更に有している。即ち、ブラケット30の縦壁部16への取付側30ａと、ブラケット30が取り付けられる縦壁部16の部分には、遊びである長孔30ｂ，12ｂが車両前後方向に沿って複数個所にそれぞれ形成され、これらの長孔30ｂ，12ｂの下端には、固定ピン34が挿入され、この固定ピン34により、ブラケット30をフロントフェンダ12の縦壁部16に固定するようにしている。さらに、長孔30ｂ，12ｂは、樹脂30ｃ，12ｃにより充填されている。
この第３実施形態によれば、歩行者が走行中の車両に衝突してその頭部がフード14のサイドエッジ部14ａに当たった場合、それにより生じる下向きの外力によりフード14が下方に変位し、その外力が弾性体32を介してブラケット30に伝達される。これにより、ブラケット30に伝達された外力により、ブラケット30が下方に移動しようとするが、長孔30ｂ，12ｂに樹脂30ｃ，12ｃが充填されているため、ブラケット30は、これらの樹脂30ｃ，12ｃに抗して徐々に下方に移動することになる。これにより、エネルギの一部が吸収される。この後、外力は、フロントフェンダ12の縦壁部16に伝達され、脆弱部28が潰れ、それにより、頭部保護に必要な衝突エネルギが更に吸収される。
【００１６】
更に、この第３実施形態によれば、ブラケット30は、樹脂30ｃ，12ｃに抗して徐々に下方に移動するが、下方への移動が完了したとき、即ち、遊びを使い切ったときには、脆弱部28が潰れているため、フロントフェンダ12の稜線部12ａがフード14の上方に突出しない状態となる。この結果、歩行者の頭部がフロントフェンダ12の稜線部12ａにより傷害を負うことが極力小さくなる。
【００１７】
次に、第９図により本発明の第４実施形態を説明する。この第４実施形態は、上述したブラケットの機能をフロントフェンダの縦壁部に持たせた実施形態である。40は、車両用前部構造であり、この車両用前部構造40は、車両前部の両側に設けられたフロントフェンダ42と、フード44とを備えている。フロントフェンダ42は、車体上方に縦壁部46と、この縦壁部46の上端から車体外側に連続して延びる外壁部48を備えている。ここで、縦壁部46の上端部が稜線部46ａとなる。
また、フード44のサイドエッジ部44ａは、車両前後方向に延びるレインフォースメント50を備えている。
本実施形態においては、縦壁部16にはＶ字状の脆弱部52が形成されている。また、縦壁部16の脆弱部52の上方の部位は、フード44のサイドエッジ部44ａのレインフォースメント50の下方に位置するように、内側に突出する突出部54として形成されている。
【００１８】
この第４実施形態においては、歩行者が走行中の車両に衝突してその頭部がフード44のサイドエッジ部44ａに当たった場合、それにより生じる下向きの外力によりフード44のサイドエッジ部44ａが下方に変位する。これにより、フード44のサイドエッジ部44ａのレインフォースメント50の下面が縦壁部46の突出部54に当接し、それにより、外力が突出部54を介してフロントフェンダ42の縦壁部46に伝達される。これにより、脆弱部52が潰れ、フロントフェンダ42の縦壁部46もフード44と同様に下方に変位する。この結果、フロントフェンダ42の稜線部46ａがフード44よりも上方に突出しない状態となり、歩行者の頭部がフロントフェンダ42の稜線部42ａにより傷害を負うことが極力小さくなる。さらに、このとき、衝突によりフード44に作用した外力によるエネルギがフロントフェンダ42の縦壁部46の脆弱部52により吸収される。
【００１９】
【発明の効果】
以上説明したように、本発明の車両用前部構造によれば、歩行者の頭部が走行中のフードのサイドエッジ部近傍に衝突したときでもフロントフェンダの稜線部により歩行者の頭部が傷害を負うことを出来る限り少なくできると共に衝突エネルギを吸収することができる。
【図面の簡単な説明】
【図１】  従来の車両用前部構造を示す車両前方から見た部分断面図
【図２】  本発明の車両用前部構造の第１実施形態を示す斜視図
【図３】  図２のIII-III 線に沿って見た部分断面図
【図４】  図３に示す実施形態を斜め前方から見た斜視図
【図５】  図２の第１実施形態に適用可能なブラケットを示す斜視図
【図６】  本発明の車両用前部構造を示す第２実施形態の部分断面図
【図７】  本発明の車両用前部構造を示す第３実施形態の部分断面図
【図８】  図７に示す第３実施形態の部分側面図
【図９】  本発明の車両用前部構造を示す第４実施形態の部分断面図
【符号の説明】
10,40   車両用前部構造
12,42   フロントフェンダ
12ａ  稜線部
14,44   フード
14a,44a   サイドエッジ部
16,46   縦壁部
18,48   外壁部
26,50   レインフォースメント
28,52   脆弱部
30,31,33  ブラケット
30ｂ，12ｂ  長孔
30ｃ，12ｃ  樹脂
32  弾性体
34  固定ピン
54  突出部
【図１】
0003687086.tif 000002
【図２】
0003687086.tif 000003
【図３】
0003687086.tif 000004
【図４】
0003687086.tif 000005
【図５】
0003687086.tif 000006
【図６】
0003687086.tif 000007
【図７】
0003687086.tif 000008
【図８】
0003687086.tif 000009
【図９】
0003687086.tif 000010